(57)【要約】      （修正有）【課題】健康をつくる血行促進作用や免疫作用を高める健康用バンドの縫製組合わせを施す。【解決手段】帯１を上面を平らに合わせて上面に左右からの帯輪の中心点２を設ける。中心点より適宜な間を右足用では右側４に、左足用では左側５に動かし、改めて上面に下面を合わせ左右からの中心点２を上面でとる。中心点から適宜に離れた位置に横一文字に縫い目を入れ、かがと７に掛け足先側に向けて延ばし、つなぎ縫い留める。右足用では左側８に、左足用では右側８に離した位置に部位を設け、かがとに回した側の帯を、帯の輪の内側にかがと側から折り畳み縫い留める。尚、部位は親指側に位置し右足用、左足用を確認のことから目印に縫い留めの糸は色違いを用いる。第三工程は、甲に掛ける帯を足首にある両側のくるぶしの前に位置９をさせる。【選択図】図１
2018114253.tif 000002
【特許請求の範囲】
【請求項１】
足指元からかがとに掛ける健康用バンドの組合わせの縫製時は、幅の狭い布ナイロン繊維ゴム地を用い、足指元を巻き込む帯の輪に、足の表側で一枚の帯を輪の帯にＴ字の形状に折合わせて縫い留め、親指と人差し指の間を通して足の裏側からかかとに掛け回し足の裏側の帯の輪の２ヶ所で足裏の内側と外側との位置で縫い留め、かがとに掛かる前位置の両側に甲にも掛け掛かる帯を縫い留めた一対を特徴とする足指元からかがとに掛ける健康用バンド。
【請求項２】
足指元からかがとに掛ける健康用バンドの縫製時は、足指元を巻き込む帯の輪に、Ｔ字の形状で縫い合わせる部位を縫製時に足の表側の中心点とし、足の裏側で縫われる２ヶ所の位置は右足用、左足用では替わるのを特徴とする足指元からかがとに掛ける健康用バンド。
【請求項３】
前記請求項１で縫製する材料は、伸縮する布地、柔らか布地、製紙生地、布ナイロン繊維ゴム地の何れか一つであることを特徴とする請求項１または請求項２記載の足指元からかがとに掛ける健康用バンド。
【請求項４】
縫製時において、第一工程で組合わせした帯の輪を平らに揃え、縫い留めのヶ所を下面の中心にして左右からの中心を取り上面に中心点をつくる。
この中心点から縫い留めのヶ所を縫製時の足先側に向けて適宜な間を右足用では右側に、左足用では左側に動かし、改めて平らに揃えて上面に中心点をつくることで縫い留めのヶ所が中心点の右に左に動ごくことで、体型のバランスを整え足元からの力を全身に伝える基本となる。第二工程で、第一工程での帯の輪の中心点に一枚の帯を折曲げて二枚に合わせた帯をＴ字の形状で縫い合わせ、合わせた帯の持つ伸縮に強弱作用を高める横一文字に縫い目を入れながら親指と人差し指の間に掛け足裏に回して、一枚と一枚に分け一枚の帯をかがとに掛け回してから別の一枚の帯と第一工程の帯の輪の縫い留めのヶ所でつなぎ合わせて縫い留め、この縫い留めた部位のヶ所から適宜に離した位置に、かがとに掛け回した帯の途中を縫い留め、親指側に位置をするように揃えて一回目の一対の帯にするが、第一工程での帯の輪の縫い留めのヶ所に第二工程で縫い留められた部位のこの部位から離した位置で縫い留めた部位とがＴ字の形状に縫い合せた中心点との位置を右足用、左足用とも身体の姿勢を親指側に相対するように組み入れてることに加え、第三工程で第一工程、第二工程で一回目の一対にしてかがとに掛け用いている帯の両側に甲に掛ける帯を、くるぶしの前に位置するように縫い留める。所定の幅と長さの帯を用いる足指元からかがとに掛ける健康用バンドの縫製組合わせ方法において、前記第一工程、前記第二工程、前記第三工程の帯において所定の長さをせるにあたり体型の違い、足サイズの大小にかかわらずに、寝ている姿勢においても足指元から体が持つ神経作用を全身に働かし、内面から内蔵強化の刺激作用を高め、歩くごとに全身からの張力作用に皮膚への刺激作用を相乗させ血行促進を促し免疫効果を生じさせることを特徴とする足指元からかがとに掛ける健康用バンドおよびその組合わせ方法。
【発明の詳細な説明】
【技術分野】
【０００１】  この発明は足指元からかがとに掛ける健康用バンドおよびその縫製組合わせ方法に係り、特に反射区、ツボを刺激しそして、体の動作に合わせ筋や関節の引き張りを強めて有効な神経作用をより強く働かせることが出来る足指元からかがとに掛ける健康用バンドおよびその縫製組合わせ方法に関する。
【背景技術】
【０００２】  従来から、足先に掛けたり指に掛けたりしての健康バンドは多くに用いられている。これらは指先や足元を刺激するので健康バンドである。
【発明の概要】
【発明が解決しようとする課題】
【０００３】  そこで、足指を押さえる作用に加えて、さらにツボ押し作用や反射区への強い刺激作用、体の全身への張力作用を高められる足指元からの健康用バンドが求められている。
本発明は、このような足元に掛ける健康バンドの作用に着目し、さらに、反射区に刺激とツボに刺激と筋に筋肉へと身体の全身への張力作用を高められる足指元からかがとに掛ける健康用バンドおよびその縫製組合わせ方法を提供することを目的とする。
【発明を解決するための手段】
【０００４】  このような目的を達成する本発明の足指元からかがとに掛ける健康用バンドは、足指５本の根元奥部位に当たらせる狭い帯の輪を親指の外側からと小指の外側から巻き入れる輪にして縫い留める。この帯の輪の縫い留めヶ所を下面の中心にして左右からの中心を取り、上面を平らに合わせて左右からの中心を上面にも取り帯の輪の中心点とする。この中心点から縫い留めのヶ所を縫製時の足先側に向けて中心点より右足用では右側に、左足用では左側に動かし、改めて上面下面を平らに合わせて左右からの中心点を上面にとる。この中心点の部位に親指と人差し指の間から足裏に回し込む帯の一端を短くして帯の輪の中側から足先側に向けて差し込み、長くした帯を足先側に向けて上から被せて折曲げ二枚に合わせながら帯の輪の中心点でＴ字の形状で縫い留める。
親指と人差し指の間から二枚に合わせて帯を足裏に回すが、Ｔ字の形状で縫い留められた部位から足裏で帯の輪に縫い留めるまでの間の中頃に、帯の強い伸縮作用で挟まれた親指や人差し指の間や周りの皮膚刺激がより高められるように横一文字に縫い目を入れ二枚の強さをつくる。
長い帯の一端を帯の輪の下にしてかがと方向に回し、かがとに掛けながら足先側に向けてきて、帯の輪を縫い合せた部位で短い帯を下からと長い帯の一端を上から折曲げて巻き込み縫い留める。
この短い帯と長い帯をつなぎ合わせた部位から右足用では左側に左足用では右側にと、離した部位にかがとに回してある帯を帯の輪の内側に当てて折り畳み縫い留める。そして甲に掛ける帯を足首にある両側のくるぶしの前に位置を設け、かがとに掛かる帯の両側に縫い留める。
この縫い合せと組合せにそして、幅の狭い帯と柔らかな布ナイロン繊維ゴム地であるのとを合せて体の全身の動作に順応性を高め張力作用を強められる。
【０００５】  また、本発明の足指元からかがとに掛ける健康用バンドの縫製組合せ方法は、第一工程で足指５本の根元奥部位に当たらせる帯の輪を親指の外側からと小指の外側から巻き入れる輪の形状にして縫い留める。
この帯の輪の縫い留めのヶ所を下面の中心にして左右からの中心を取り、上面を平らに合わせて左右からの中心を上面にも取り帯の輪の中心点とする。この中心点から縫い留めのヶ所を縫製時の足先側に向けて中心点より適宜の間を右足用では右側に、左足用では左側に動かし、改めて上面下面を平らに合わせて左右からの中心点を上面にとる。
この縫い留めの部位を中心点から動かし、改めて平らに合わせて中心点を取ることで体型に変化を起こして土踏まずを下げて膝を内側に向ける神経作用を高められる。
第二工程で第一工程の帯の輪の中心点の部位に親指と人差し指の間から足裏に回し込む帯の一端を短くして帯の輪の中側から足先側に向けて差し込み、長くした帯を足先側に向けて上から被せて折曲げて二枚に合わせながら帯の輪の中心点でＴ字の形状で縫い留める。親指と人差し指の間から二枚に合わせて帯を足裏に回すが、縫い留めたＴ字の形状の部位から適宜に離れた位置に横一文字に縫い目を入れ、二枚の強さでＴ字の形状部位から帯の輪の引き合いを強くして反射区をより強く刺激を繰り返し、また逃げるツボを追い求める作用をつくらせるようにしながら、長い帯の一端を帯の輪の下にしてかがと方向に回し、かがとに掛けながら足先側に向けてきて、第一工程で帯の輪を縫い留めた部位で短い帯の端を下側から折曲げてから巻き込み、長い帯の一端を上側から折曲げてから巻き込み長い帯の一端を上側から折曲げて巻き込み、つなぎ縫い留める。このつなぎ縫い留められた部位から適宜に、右足用では左側に、左足用では右側に離した位置に部位を設け、かがとに回した側の帯を帯の輪の内側に当て折り畳みをして縫い留める。
この離した位置の部位は親指側に位置をすることから目印に縫い留めの糸を色違いにすることも可能である。
第三工程で甲に掛ける帯を足首にある両側のくるぶしの前に位置するように第一工程（ステップ１０１）（ステップ１０２）、第二工程でかがとに掛かけ用いている帯の両側に縫い留める。
この縫製組合わせにより刺激や張力作用とを同時に相乗効果を生じさせる。
【発明の効果】
【０００６】  このような足指元からかがとに掛ける健康用バンドによれば、足の指５本を柔らかい幅の狭い帯で包みこみ、おさえる形状と親指と人差し指の間から足裏に回してる幅の狭い帯が足の動きや体の動きとの運動動作に合わせて指の付け根のツボに反射区にも擦られこれらの刺激効果と強められた張力作用が相乗されて癌などの病気に対する細胞強化作用と共に血行促進作用を促し免疫機能を高めることができる。
【０００７】  また、本発明の足指元からかがとに掛ける健康用バンドおよびその縫製組合わせ方法においては、かがととの前側に幅の狭い帯で甲にも掛けられている帯と、かがとに掛けている帯とで足首を押さえることで足指元からの張力作用をより強くさせて刺激効果と合わせて筋力体力の回復が望める。
【０００８】  また、本発明の足指元からかがとに掛ける健康用バンドおよびその縫製組合わせ方法においては、足指元からかがとに掛かり甲の部位にも掛かる一対する帯は柔らかな布ナイロン繊維ゴム地の材質で適宜な幅と長さがであり足の大きさによりサイズは様々の人の所望に合わせることが可能であり、気楽に装着ができる。第一工程で縫い留めた帯の輪の縫い留めのヶ所を中心より動かした位置での組合わせ方法で小指が自然に外側に開く作用と、これに合わせて薬指に中指に人差し指と小指側に向き、親指は外側に開く作用で指の変形を修正する作用を高めることができる。
従来とは異なる指の開き方が大であることから足裏の広がりを誘導されて足から腰にと安定と安定感を作り出し、高齢者の体型バランス感覚の修復作用を高めることができ転倒防止が補える。
【発明を実施するための形態】
【０００９】    以下、本発明の足指元からかがとに掛ける健康用バンドおよびその縫製組合わせ方法の実施の一形態について、図面を参照して説明する。
【００１０】  本発明の足指元からかがとに掛ける健康用バンドは、足元を包み込む帯の輪とこの帯を、一枚の帯をＴ字の形状で縫い留め二枚にした帯を足の表側から親指と人差し指の間から足裏に回し、かがとに掛けながら足裏の２ヶ所に縫い留め、甲に掛かる帯をかがと寄りのくるぶしの前に縫い留められている。
健康バンドは、使用するヶ所により、ひざバンドや腰バンド、肩バンド、足首バンドなどとありそれぞれ該当する。
【００１１】  装着の使用には、輪の帯のＴ字の形状部位を足先に向け帯の輪を広げ、親指と人差し指の間にＴ字の形状からの帯を差し入れるが、これの前にまず先に、かがとに掛ける帯と、甲に掛かる帯を輪にさせたところから足先を入れるが、この時には、右足用左足用の親指側に親指側を印す縫い糸であるを確認をし、それから前記述の帯の輪を広げながら親指と人差し指の間にＴ字の形状部位からの帯を差し入れる。そして甲にかがとにと掛け合わせる。
【００１２】  このような健康を維持する足指元からかがとに掛ける健康用バンドおよびその縫製組合わせ方法を説明する。
【００１３】  足指元からかがとに掛ける健康用バンドの縫製組合わせ方は図１に示すように、大きく分けて３つの工程がある。その第一工程は、帯（１）を縫い留め輪の形状（１）にする。縫い留め（３）を下面の中心で左右の中心をつくる。上面を平らに合わせて上面に左右からの中心で中心点（２）を設ける。縫い留め（３）の部位を縫製時の足先側に向け中心点（２）より適宜な間を右足用では右側（４）（ステップ１０４）に、左足用では左側（５）（ステップ１０５）に動かし、改めて上面に下面を合わせ左右からの中心点（２）を上面でとる（ステップ１０１）。第二工程は、第一工程（ステップ１０１）の帯の輪の中心点（２）の部位で親指と人差し指の間から足裏に回し込む帯の一端を短くして中心点（２）の中側から足先側に向けて差し込み、長くした帯を足先側に向けて上から被せて折曲げて二枚に合わせながら帯の輪の中心点（２）でＴ字の形状で縫い留める。二枚に合わせた帯の中心点（２）の部位から適宜に離れた位置に横一文字に縫い目（６）を入れ、一枚の長い帯の一端を輪（１）の外側からかがと方向に回し、かがと（７）に掛け足先側に向けて延ばし、第一工程（ステップ１０１）で帯の輪（１）を縫い合わせた部位（３）に短い帯の端を下側から折曲げて巻き、そこの上から長い帯の端を折り曲げてつなぎ縫い留める。つなぎ縫い留められた部位（３）の帯の輪（３）から適宜に、右足用では左側（８）（ステップ１０４）に、左足用では右側（８）（ステップ１０５）に離した位置に部位を設け、かがと（７）に回した側の帯を、帯の輪（３）の内側にかがと側から折り畳み縫い留める。
尚、部位（８）は親指側に位置し右足用、左足用を確認のことから目印に縫い留めの糸は色違いを用いる。第三工程は、甲に掛ける帯を足首にある両側のくるぶしの前に位置（９）をさせ第一工程（ステップ１０１）（ステップ１０２）、第二工程でかかとに掛け用いている帯の両側（９）に位置を設け、縫い留めて第三工程を完了する。なお、サイズは足のサイズに応じて拡大および縮小を決定される。
【００１４】また、第一工程に第二工程に第三工程の帯には布ナイロン繊維ゴム地以外の使いも健康作用を高めるを補え、帯と帯の間に帯をつなぎ加えて縫い留めることができる。
【図面の簡単な説明】
【００１５】
【図１】本発明の足指元からかがとに掛ける健康用バンドの縫製組合わせ方法の実施の一形態を示す縫製組合せ工程図。
【符号の説明】
【００１６】１……帯
２……帯輪の中心点
３……帯輪の縫い留めヶ所
４……右足で外側に位置する部位の帯輪（１）の縫い留めヶ所
５……左足で外側に位置する部位の帯輪（１）の縫い留めヶ所
６……横一文字に入れた縫い目
７……かがとに掛ける位置
８……帯輪（１）で、右足で親指側に位置する部位
９……帯輪（１）で、左足で親指側に位置する部位
１５…左足を外側から見た参考斜視図
１６…左足を内側から見た参考斜視図
１７  左足の裏側から見た参考斜視図
【図１】
2018114253.tif 000003